(57)【要約】【課題】運動の妨げとならないよう小型、軽量であって、運動により視点が変位している状態でも視認性良く、一見してコースの確認を行うことを可能にする。【解決手段】ユーザが作成したランニングコース３５６上に分割地点Ｐｎを設定し、Ｐｎ〜Ｐｎ＋１間を直線Ｌで結合する。これにより、ランニングコース３５６にはその全長に亘って、距離Ｄ毎の地点Ｐｎ（ｎ＝１、２、３・・・）を直線で結合したコース概略形状３５７を表すコース概略形状データＣＯＤが作成される。このコース概略形状データＣＯＤをリスト端末に転送し、リスト端末の表示部にコース概略形状３５７を表示させる。【選択図】図８
2014115212.tif 000002
【特許請求の範囲】
【請求項１】
携帯可能な端末と、前記端末と通信可能で地図データベースを参照可能なコンピュータとを含むコースガイドシステムであって、
前記コンピュータは、
前記地図データベースを参照して、地図に沿ったコースを示すコース委細形状データを作成する第１の作成手段と、
前記第１の作成手段により作成したコース委細形状データから、前記コースの概略形状を示すコース概略形状データを作成する第２の作成手段と、
前記第２の作成手段により作成されたコース概略形状データを前記端末に転送する転送手段とを備え、
前記端末は、
前記転送手段により転送された前記コース概略形状データを受信する受信手段と、
前記受信手段により受信した前記コース概略形状データに基づき、前記コースの概略形状を表示する表示手段と、
を備えることを特徴とするコースガイドシステム。
【請求項２】
携帯可能な端末と、前記端末と通信可能で地図データベースを参照可能なコンピュータとを含むコースガイドシステムであって、
前記コンピュータは、
前記地図データベースを参照して地図に沿ったコースを示すコース委細形状データを作成する第１の作成手段と、
前記第１の作成手段により作成されたコース概略形状データを前記端末に転送する転送手段とを備え、
前記端末は、
前記転送手段により転送された前記コース概略形状データを受信する受信手段と、
前記受信手段により受信したコース委細形状データから、前記コースの概略形状を示すコース概略形状データを作成する第２の作成手段と、
前記第２の作成手段により作成されたコース概略形状データに基づき、前記コースの概略形状を表示する表示手段と、
を備えることを特徴とするコースガイドシステム。
【請求項３】
前記端末は地図データベースを参照不能であることを特徴とする請求項１又は２記載のコースガイドシステム。
【請求項４】
前記第１の作成手段は、ユーザの操作に応じた任意のコースであって、前記地図データベースを参照した地図に沿ったコースを示すコース委細形状データを作成することを特徴とする請求項１、２又は３記載のコースガイドシステム。
【請求項５】
前記第２の作成手段は、コース委細形状データを簡略化することによって前記コース概略形状データを作成することを特徴とする１ないし４いずれか記載のコースガイドシステム。
【請求項６】
前記端末は、ＧＰＳを備え、
前記表示手段は、前記概略形状からなるコース上に、前記ＧＰＳから取得した位置情報を表示することを特徴とする請求項１、２又は３記載のコースガイドシステム。
【請求項７】
前記端末の表示手段は、前記コンピュータが有する表示手段よりも小さい表示面積からなることを特徴とする請求項１ないし６いずれか記載のコースガイドシステム。
【請求項８】
前記端末は、腕に装着可能であることを特徴とする請求項１ないし７いずれかに記載のコースガイドシステム。
【請求項９】
携帯可能な端末と、前記端末と通信可能で地図データベースを参照可能なコンピュータとを含むコースガイドシステムにおける前記コンピュータであって、
前記地図データベースを参照して地図に沿ったコースを示すコース委細形状データを作成する第１の作成手段と、
前記第１の作成手段により作成したコース委細形状データから、前記コースの概略形状を示すコース概略形状データを作成する第２の作成手段と、
前記第２の作成手段により作成されたコース概略形状データを前記端末に転送する転送手段とを備えることを特徴とするコンピュータ。
【請求項１０】
携帯可能な端末と、前記端末と通信可能で地図データベースを参照可能なコンピュータとを含むコースガイドシステムにおける前記コンピュータを、
前記地図データベースを参照して地図に沿ったコースを示すコース委細形状データを作成する第１の作成手段と、
前記第１の作成手段により作成したコース委細形状データから、前記コースの概略形状を示すコース概略形状データを作成する第２の作成手段と、
前記第２の作成手段により作成されたコース概略形状データを前記端末に転送する転送手段と
して機能させることを特徴とするプログラム。
【請求項１１】
携帯可能で地図データベースを参照不能な端末であって、
地図データベースを参照して作成され転送された地図に沿ったコースを示すコース委細形状データを受信する受信手段と、
前記受信手段により受信したコース委細形状データから、前記コースの概略形状を示すコース概略形状データを作成する作成手段と、
前記作成手段により作成されたコース概略形状データに基づき、前記コースの概略形状を表示する表示手段と、
を備えることを特徴とする端末。
【請求項１２】
前記コース委細形状データは、ユーザの操作に応じた任意のコースであって、前記地図データベースを参照した地図に沿ったコースを示すデータであることを特徴とする請求項１１記載の端末。
【請求項１３】
当該端末は、ＧＰＳを備え、
前記表示手段は、前記概略形状からなるコース上に、前記ＧＰＳから取得した位置情報を表示することを特徴とする請求項１１又は１２記載の端末。
【請求項１４】
携帯可能な端末が有するコンピュータを、
地図データベースを参照して作成され転送された地図に沿ったコースを示すコース委細形状データを受信する受信手段と、
前記受信手段により受信したコース委細形状データから、前記コースの概略形状を示すコース概略形状データを作成する作成手段と、
前記作成手段により作成されたコース概略形状データに基づき、前記コースの概略形状を表示する表示手段と、
して機能させることを特徴とするプログラム。
【請求項１５】
携帯可能な端末と、前記端末と通信可能で地図データベースを参照可能なコンピュータとを含むコースガイド方法であって、
前記コンピュータに、
前記地図データベースを参照して、地図に沿ったコースを示すコース委細形状データを作成する第１の作成ステップと、
前記第１の作成ステップで作成したコース委細形状データから、前記コースの概略形状を示すコース概略形状データを作成する第２の作成ステップと、
前記第２の作成ステップにより作成されたコース概略形状データを前記端末に転送する転送ステップとを実行させ、
前記端末に、
前記転送ステップで転送された前記コース概略形状データを受信する受信ステップと、
前記受信ステップで受信した前記コース概略形状データに基づき、前記コースの概略形状を表示する表示ステップと、
を実行させることを特徴とするコースガイド方法。
【請求項１６】
携帯可能な端末と、前記端末と通信可能で地図データベースを参照可能なコンピュータとを含むコースガイド方法であって、
前記コンピュータに、
前記地図データベースを参照して地図に沿ったコースを示すコース委細形状データを作成する第１の作成ステップと、
前記第１の作成ステップにより作成されたコース概略形状データを前記端末に転送する転送ステップとを実行させ、
前記端末に、
前記転送ステップにより転送された前記コース概略形状データを受信する受信ステップと、
前記受信ステップにより受信したコース委細形状データから、前記コースの概略形状を示すコース概略形状データを作成する第２の作成ステップと、
前記第２の作成ステップにより作成されたコース概略形状データに基づき、前記コースの概略形状を表示する表示ステップと、
を実行させることを特徴とするコースガイド方法。
【発明の詳細な説明】
【技術分野】
【０００１】
本発明は、コースガイドシステム、コンピュータ及びプログラム、端末並びにコースガイド方法に関する。
【背景技術】
【０００２】
従来、下記特許文献１記載のナビゲーション装置が知られている。
この装置は、表示画面に表示された地図において、ユーザが基本地点を特定し、更に探索する経路の概形や探索領域を特定する。すると、ナビゲーション装置は特定した基本地点と特定した経路の概形とに基づき、地図データ上において、基本地点を始点かつ終点とする探索領域内の周回経路を探索し、これを作成コースとして表示部にて地図上に表示する。
【先行技術文献】
【特許文献】
【０００３】
【特許文献１】特開２０１２−１９８０４４号公報
【発明の概要】
【発明が解決しようとする課題】
【０００４】
しかしながら、ランニング等の移動を伴う運動時にコースのガイド手段としてナビゲーション装置を用いる場合、運動の妨げとならないよう、装置は小型、軽量であることが要求され、自ずと表示部の表示面積も制限される。したがって、制限された表示面積からなる小型の表示部に、前述の従来技術を用いて地図とともにコースを表示すると、小面積の表示部に複雑な形状の地図とコースとが存在することにより、視認性が低下する。しかも、ランニング等の運動中にコース確認を行うと、運動により視点も変位していることから、視認性が著しく低下し、一見してコースの確認を行うことができない。
【０００５】
本発明は上記事情に鑑みてなされたものあり、運動の妨げとならないよう小型、軽量であって、運動により視点が変位している状態でも視認性良く、一見してコースの確認を行うことのできるコースガイドシステム、コンピュータ及びプログラム、端末並びにコースガイド方法を提供することを目的とする。
【課題を解決するための手段】
【０００６】
前記課題を解決するため請求項１記載の発明は、携帯可能な端末と、前記端末と通信可能で地図データベースを参照可能なコンピュータとを含むコースガイドシステムであって、前記コンピュータは、前記地図データベースを参照して、地図に沿ったコースを示すコース委細形状データを作成する第１の作成手段と、前記第１の作成手段により作成したコース委細形状データから、前記コースの概略形状を示すコース概略形状データを作成する第２の作成手段と、前記第２の作成手段により作成されたコース概略形状データを前記端末に転送する転送手段とを備え、前記端末は、前記転送手段により転送された前記コース概略形状データを受信する受信手段と、前記受信手段により受信した前記コース概略形状データに基づき、前記コースの概略形状を表示する表示手段と、を備えることを特徴とするコースガイドシステムを提供する。
【０００７】
請求項２記載の発明は、携帯可能な端末と、前記端末と通信可能で地図データベースを参照可能なコンピュータとを含むコースガイドシステムであって、前記コンピュータは、前記地図データベースを参照して地図に沿ったコースを示すコース委細形状データを作成する第１の作成手段と、前記第１の作成手段により作成されたコース概略形状データを前記端末に転送する転送手段とを備え、前記端末は、前記転送手段により転送された前記コース概略形状データを受信する受信手段と、前記受信手段により受信したコース委細形状データから、前記コースの概略形状を示すコース概略形状データを作成する第２の作成手段と、前記第２の作成手段により作成されたコース概略形状データに基づき、前記コースの概略形状を表示する表示手段と、を備えることを特徴とするコースガイドシステムを提供する。
【０００８】
請求項９記載の発明は、携帯可能な端末と、前記端末と通信可能で地図データベースを参照可能なコンピュータとを含むコースガイドシステムにおける前記コンピュータであって、前記地図データベースを参照して地図に沿ったコースを示すコース委細形状データを作成する第１の作成手段と、前記第１の作成手段により作成したコース委細形状データから、前記コースの概略形状を示すコース概略形状データを作成する第２の作成手段と、前記第２の作成手段により作成されたコース概略形状データを前記端末に転送する転送手段とを備えることを特徴とするコンピュータを提供する。
【０００９】
請求項１０記載の発明は、携帯可能な端末と、前記端末と通信可能で地図データベースを参照可能なコンピュータとを含むコースガイドシステムにおける前記コンピュータを、前記地図データベースを参照して地図に沿ったコースを示すコース委細形状データを作成する第１の作成手段と、前記第１の作成手段により作成したコース委細形状データから、前記コースの概略形状を示すコース概略形状データを作成する第２の作成手段と、前記第２の作成手段により作成されたコース概略形状データを前記端末に転送する転送手段として機能させることを特徴とするプログラムを提供する。
【００１０】
請求項１１記載の発明は、携帯可能で地図データベースを参照不能な端末であって、地図データベースを参照して作成され転送された地図に沿ったコースを示すコース委細形状データを受信する受信手段と、前記受信手段により受信したコース委細形状データから、前記コースの概略形状を示すコース概略形状データを作成する作成手段と、前記作成手段により作成されたコース概略形状データに基づき、前記コースの概略形状を表示する表示手段と、を備えることを特徴とする端末を提供する。請求項記載の発明は、携帯可能な端末が有するコンピュータを、地図データベースを参照して作成され転送された地図に沿ったコースを示すコース委細形状データを受信する受信手段と、前記受信手段により受信したコース委細形状データから、前記コースの概略形状を示すコース概略形状データを作成する作成手段と、前記作成手段により作成されたコース概略形状データに基づき、前記コースの概略形状を表示する表示手段と、して機能させることを特徴とするプログラムを提供する。
【００１１】
請求項１５記載の発明は、携帯可能な端末と、前記端末と通信可能で地図データベースを参照可能なコンピュータとを含むコースガイド方法であって、前記コンピュータに、前記地図データベースを参照して、地図に沿ったコースを示すコース委細形状データを作成する第１の作成ステップと、前記第１の作成ステップで作成したコース委細形状データから、前記コースの概略形状を示すコース概略形状データを作成する第２の作成ステップと、前記第２の作成ステップにより作成されたコース概略形状データを前記端末に転送する転送ステップとを実行させ、前記端末に、前記転送ステップで転送された前記コース概略形状データを受信する受信ステップと、前記受信ステップで受信した前記コース概略形状データに基づき、前記コースの概略形状を表示する表示ステップと、を実行させることを特徴とするコースガイド方法を提供する。
【００１２】
請求項１６記載の発明は、携帯可能な端末と、前記端末と通信可能で地図データベースを参照可能なコンピュータとを含むコースガイド方法であって、前記コンピュータに、前記地図データベースを参照して地図に沿ったコースを示すコース委細形状データを作成する第１の作成ステップと、前記第１の作成ステップにより作成されたコース概略形状データを前記端末に転送する転送ステップとを実行させ、前記端末に、前記転送ステップにより転送された前記コース概略形状データを受信する受信ステップと、前記受信ステップにより受信したコース委細形状データから、前記コースの概略形状を示すコース概略形状データを作成する第２の作成ステップと、前記第２の作成ステップにより作成されたコース概略形状データに基づき、前記コースの概略形状を表示する表示ステップと、を実行させることを特徴とするコースガイド方法を提供する。
【発明の効果】
【００１３】
本発明によれば、運動の妨げとならない小型、軽量であって、運動により視点が変位している状態でも視認性良く、一見してコースの確認を行うことが可能となる。
【図面の簡単な説明】
【００１４】
【図１】本発明の一実施の形態に係るシステムの外観図である。
【図２】リスト端末の回路構成の概略を示すブロック図である。
【図３】ＰＣの回路構成の概略を示すブロック図である。
【図４】本発明の第１の実施形態においてＰＣ３を用いてコース委細形状データを作成する処理の処理手順を示すフローチャートである。
【図５】地図上に表示された修正ランニングコースの例を示す図である。
【図６】発明の第１の実施形態においてＰＣが実行するコース概略形状データの作成処理手順を示すフローチャートである。
【図７】スタート地点Ｐ１から、所定距離Ｄ間隔で順次分割地点Ｐ２、Ｐ３、Ｐ４・・・が設定された状態を示す図である。
【図８】ランニングコース上のＰ１〜Ｐ２間が直線Ｌで結合された状態を示す図である。
【図９】コース概略形状のみを表示することのできるコース概略形状データＣＯＤを示す図である。
【図１０】発明の第１の実施形態におけるリスト端末の処理手順を示すフローチャートである。
【図１１】本発明の第２実施形態におけるＰＣの処理手順を示すフローチャートである。
【図１２】同実施形態においてリスト端末が実行するコース概略形状データの作成処理手順を示すフローチャートである。
【図１３】同実施形態における当該ユーザのリスト端末の処理手順を示すフローチャートである。
【図１４】委細形状コースデータの他の作成例１の処理手順を示すフローチャートである。
【図１５】同作成例１の動作を示す説明図である。
【図１６】委細形状コースデータの他の作成例２の処理手順を示すフローチャートである。
【図１７】同作成例２の動作を示す説明図である。
【図１８】委細形状コースデータの他の作成例３の処理手順を示すフローチャートである。
【図１９】同作成例３の動作を示す説明図である。
【図２０】委細形状コースデータの他の作成例４の処理手順を示すフローチャートである。
【図２１】同作成例４の動作を示す説明図である。
【図２２】委細形状コースデータの他の作成例５の処理手順を示すフローチャートである。
【図２３】同作成例５の動作を示す説明図である。
【発明を実施するための形態】
【００１５】
以下、本発明の実施の形態について図面を参照し、ランニングを例にして説明する。
図１は、本発明の一実施の形態に係るリスト端末１を用いたコースガイドシステムの全体外観図である。このシステムは、リスト端末１とＵＳＢ（Universal Serial Bus）ケーブル２を介して有線で接続されるＰＣ（Personal Computer）３とで構成される。リスト端末１は、腕時計形状に構成されて腕に装着可能であり、表示部１０１を有する。ランニング中に腕に装着して使用するものである。なお、ＵＳＢケーブル２を用いることなく、例えばBluetooth（登録商標）等でリスト端末１とＰＣ３とを無線接続する構成であってもよい。
【００１６】
図２は、リスト端末１の回路構成を示すブロック図である。図示のようにリスト端末１は、制御部１０２を有し、この制御部１０２に、前記表示部１０１、時計部１０４、ＧＰＳ（Global Positioning System）衛星受信装置１０５、電源１０６、ＵＳＢポート１０７、位置演算処理部１０８、概略コース記憶装置１０９、軌跡データ記憶装置１１０が接続された構成である。
【００１７】
制御部１０２は、ＣＰＵ（Central Processing Unit）、及びＣＰＵの周辺回路、予めプログラムやデータを記憶するＲＯＭ（Read Only Memory）、作業用メモリ等として用いられるＲＡＭ（Random Access memory）等で構成され、リスト端末１の全体の動作を制御する。表示部１０１は、図１に示したように、長方形状であってカラー液晶パネルやＥＬ（Electro Luminescence）とこれを駆動するドライバ回路等で構成されている。前記表示部１０１は、腕に装着しても支障が無いように縦２４０ドット、横１８０ドット程度の表示画面で構成されている。正方形の表示画面としてもよい。
【００１８】
時計部１０４は、現在時刻を計時し、この計時された現在時刻は時計モードが設定されている状態において、表示部１０１に表示される。ＧＰＳ衛星受信装置１０５は、複数の測位衛星（ＧＰＳ衛星）から送られてくる電波をＧＰＳ受信アンテナ１１１により受信することによって、現在位置を示す緯度・経度からなる位置データを取得し、取得した位置データを、使用者の現在位置を示す位置情報として制御部１０２に供給する。
【００１９】
電源１０６は充電池と電源回路を含み、リスト端末１を構成する電気的部分の各部に必要な電力を供給する。ＵＳＢポート１０７は、ＵＳＢケーブル２が接続されるケーブルである。位置演算処理部１０８は、地図データに基づく地図上において、ＧＰＳ衛星受信装置１０５が供給する現在位置情報（緯度・経度）に対応する位置（座標位置）を演算する。概略コース記憶装置１０９は、表示部１０１にコースの概略形状を表示するコース概略形状データを記憶する。軌跡データ記憶装置１１０は、後述するように、このリスト端末１を腕に装着してランニングを行った際に生成された軌跡を示すデータを記憶する。
【００２０】
図３は、ＰＣ３の回路構成を示すブロック図である。図示のように、このＰＣ３は、バス３０１を介して互いに接続された制御部３０２、ＨＤＤ（Hard Disk）３０３、ＲＡＭ（Random Access Memory）３０４、地図データベース３０５、グラフィック処理部３０６、ＤＶＤ／ＣＤ−ＲＯＭドライブ３０７、及びインターフェイス部３０９を備えている。
【００２１】
制御部３０２は、ＣＰＵ（Central Processing Unit）、ＲＯＭ（Read Only Memory）等で構成され、ＲＯＭに記憶されているブートプログラムやＯＳ（Operating System）等の基本プログラムに基づき、ＲＡＭ３０４に記憶されたプログラムを順次実行して、各種処理等を行うとともに、ＰＣ３本体内の各部の動作を制御する。ＨＤＤ３０３には、ＵＳＢポート３２０等を介してインターフェイス部３０９から取り込んだプログラムやその他のデータが記憶される。ＲＡＭ３０４は、メインメモリとして使用されるもので、ＤＶＤ／ＣＤ−ＲＯＭ３１０から転送された、プログラムやデータを記憶する。ＲＡＭ３０４は、また、プログラム実行時におけるワークエリアとしても使用される。
【００２２】
地図データベース３０５には、地図データが格納されている。地図データは、例えばレイヤー１〜３データで構成されている。レイヤー１データは地図データにおける地形データであり、レイヤー２データは地図データにおける道路、路線データであり、レイヤー３データは地図データにおけるランドマーク（目印、指標）データである。したがって、これら地形データ、道路、路線データ、ランドマーク（目印、指標）データを重ね合わせて合成することにより、これら地形、道路、路線、ランドマーク（目印、指標）を有する地図データが作成されて表示可能となる。なお、建築物の撤去や新たな建設により、ランドマークは頻繁に変化することから、レイヤー３データのランドマークデータのみを更新することにより、容易にランドマークの変化に対応できるように構成されている。道路は、いわゆる車道という意味ではなく、公園内の散策路なども含む。また逆に、高速道路などの人間が通行不可能な自動車専用道路に関してはこれを識別できる構成となっている。無論、緯度・経度を示す座標データも有している。
【００２３】
グラフィック処理部３０６は、制御部３０２からの指示に従って各種画像データを生成し、また、生成した画像データに所定の同期信号を付加して、ビデオ信号として表示装置３１１に出力する。ＤＶＤ／ＣＤ−ＲＯＭドライブ３０７は、制御部３０２からの指示に従って、ＰＣ３にセットされたＤＶＤ／ＣＤ−ＲＯＭ３１０を駆動し、ＤＶＤ／ＣＤ−ＲＯＭ３１０に格納されているプログラムやデータを、バス３０１を介してＲＡＭ３０４に転送する。
【００２４】
インターフェイス部３０９には、キーボード３１２とマウス３１３とが接続される。このインターフェイス部３０９では、キーボード３１２及びマウス３１３と制御部３０２やＲＡＭ３０４との間のデータの授受を制御する。ＨＤＤ３０３は、各種プログラムや後述するフローチャートに示す、このＰＣ３をアプリケーション配信システムにおける端末装置として動作させる為のプログラムや各種データを格納している。ＤＶＤ／ＣＤ−ＲＯＭ３１０は、ＤＶＤ／ＣＤ−ＲＯＭドライブ３０７によって駆動されて、格納しているプログラムやデータが読み出される。ＤＶＤ／ＣＤ−ＲＯＭ３１０から読み出されたプログラムやデータは、ＤＶＤ／ＣＤ−ＲＯＭドライブ３０７からバス３０１を介してＲＡＭ３０４に転送される。表示装置３１１は、グラフィック処理部３０６からのビデオ信号に対応する画像を表示する液晶パネル等からなる表示画面を備えている。前記表示装置３１１の表示画面は、地図を明瞭に表示できるように、ＸＧＡ（縦１０２４ドット、横７６８ドット）程度で構成されている。
【００２５】
（第１の実施形態）
図４は、本発明の第１の実施形態においてＰＣ３を用いてコース委細形状データを作成する処理の処理手順を示すフローチャートである。ＰＣ３の制御部３０２は、ＲＯＭに記憶されているプログラムに基づき、このフローチャートに示すように処理を実行する。すなわち、軌跡使用範囲指定処理を行って、表示装置３１１に表示されている地図上にユーザが所望するコースを書き込ませる。例えば、マウス３１３の操作に応じてポインタを移動させるとともに、ポインタの移動軌跡上にコースを描画する。これにより、表示装置３１１に表示されているに、フリーハンドで描画された仮想ランニングコースが表示される。
【００２６】
しかし、この仮想ランニングコースは、ユーザのマニュアル操作により描画したものであるから、必ずしも地図上の道路とは一致していない。よって、仮想ランニングコースは、その大部分がランニング不可能である不完全なものとなる。
【００２７】
そこで、地図データベース３０５から読み出した地図データを用いて道路マッチング処理を行って、仮想ランニングコースをこれに最も近い位置に存在するランニング可能な道路を地図から順次抽出し、この抽出した道路を順次結合してランニングコースを生成する（ステップＳＰ１０２）。しかる後に、コース表示処理を行って、前記道路マッチング処理を行ったコースを表示装置３１１に表示させる（ステップＳＰ１０３）。したがって、このステップＳＰ１０３での処理により、図５に示すように、地図Ｍ上にて仮想ランニングコースをランニング可能に修正した修正ランニングコース３５６が表示装置３１１に表示される。
【００２８】
次に、ユーザのキーボード３１２にての操作等によるコース修正指示があったか否かを判断し（ステップＳＰ１０４）、ない場合にはコース登録処理を実行して、この修正ランニングコース３５６を表すデータをコース委細形状データＣＤＤとして、地図データとともに、ＨＤＤ３０３に保存する（ステップＳＰ１０５）。また、コース修正指示があった場合には、コース修正処理を実行した後（ステップＳＰ１０６）、ステップＳＰ１０２からの処理を繰り返す。
【００２９】
したがって、以上の処理によりＨＤＤ３０３には図５に示すように、地図Ｍを表す地図データとともに、地図に沿った委細な形状からなるランニングコース３５６を表すコース委細形状データＣＤＤが登録されることとなる。
【００３０】
なお、ここで地図Ｍを表す地図データと、地図に沿った委細な形状からなるランニングコース３５６を表すコース委細形状データＣＤＤとの関係は、両者を各々独立したデータで構成し、表示に際して地図データに基づく地図上に、コース委細形状データＣＤＤに基づくランニングコース３５６を表示してもよいし、コース委細形状データＣＤＤをレイヤー１〜３データで構成されている地図データのレイヤー４として構成する、つまりコース委細形状データＣＤＤを地図データの一部に合成されるデータとしてもよい。
【００３１】
図６は、本実施形態においてＰＣ３が実行するコース概略形状データの作成処理手順を示すフローチャートである。ＰＣ３の制御部３０２は、前述と同様に、ＲＯＭに記憶されているプログラムに基づき、このフローチャートに示すように処理を実行する。すなわち、前記ステップＳＰ１０５でＨＤＤ３０３に登録したコース委細形状データＣＤＤを地図データとともに読み出して、表示装置３１１に表示させる（ステップＳＰ２０１）。これにより、前述の図５に示すように、地図Ｍ上にてコース委細形状データＣＤＤに基づくランニングコース３５６が表示装置３１１に表示される。
【００３２】
次に、このランニングコース３５６上において、例えばマウス３１３での操作によりスタート地点が指定されたか否かを判断する（ステップＳＰ２０２）。スタート地点が指定されたならば、地図の縮尺率に基づき所定距離Ｄ（例えば、１ｋｍ，３ｋｍ、５ｋｍ等毎）毎に、ランニングコース３５６上に分割地点Ｐｎを設定する（ステップＳＰ２０３）。ここのステップＳＰ２０３での処理により、図７に示すように、スタート地点Ｐ１から、所定距離Ｄ間隔で順次分割地点Ｐ２、Ｐ３、Ｐ４・・・が設定される。
【００３３】
次に、Ｐｎ〜Ｐｎ＋１間を直線Ｌで結合する（ステップＳＰ２０４）。ここで「ｎ」は初期値が「１」の自然数である。したがって、Ｐｎ〜Ｐｎ＋１間とはＰ１〜Ｐ２間であり、図８に示すように、ランニングコース３５６はＰ１〜Ｐ２間が直線Ｌで結合されることとなる。引き続き、ステップＳ２０４の処理がランニングコース３５６の全長に亘って実行されたか否かを判断する（ステップＳＰ２０５）。全長に亘っての実行が終了していない場合には、ｎの値をカウントアップさせてから（ステップＳＰ２０６）、ステップＳＰ２０４からの処理を繰り返す。
【００３４】
したがって、ステップＳＰ２０５の判断がＹＥＳとなるまで、ステップＳＰ２０４及びステップＳ２０６の処理が繰り返されることにより、図８に示したように、ランニングコース３５６にはその全長に亘って、距離Ｄ毎の地点Ｐｎ（ｎ＝１、２、３・・・）を直線で結合したコース概略形状３５７を表すコース概略形状データＣＯＤが作成される。
【００３５】
しかる後に、この図８の画面を示すデータからコース委細形状データＣＤＤと地図Ｍを表す地図データＭＤとを削除して、コース概略形状データＣＯＤを完成させる（ステップＳＰ２０７）。このステップＳ２０７での処理により、図９に示すように、コース概略形状３５７のみを表示することのできるコース概略形状データＣＯＤが完成する。
【００３６】
なお、本実施の形態においては、ステップＳＰ１０５で、コース委細形状データＣＤＤを地図データとともに、ＨＤＤ３０３に保存するようにしたが、地図データは保存することなく、コース委細形状データＣＤＤのみを保存するようにしてもよい。このようにした場合には、ステップＳＰ２０７で地図データの削除を行うことなく、コース委細形状データＣＤＤの削除のみを行えば、コース概略形状データＣＯＤを完成させることができる。
【００３７】
このようにして、コース概略形状データＣＯＤが完成したならば、これをＨＤＤ３０３に登録する（ステップＳＰ２０８）。ＰＣ３とＵＳＢケーブル２で接続されているリスト端末１に、ＵＳＢポート３２０を介して転送する（ステップＳＰ２０９）。
【００３８】
図１０は、当該ユーザのリスト端末１の処理手順を示すフローチャートである。前述のように対応するＰＣ３から送信されてくるコース概略形状データＣＯＤを受信したか否かを判断する（ステップＳＷ１０１）。コース概略形状データＣＯＤを受信したならば、これを概略コース記憶装置１０９に格納した後（ステップＳＷ１０２）、読み出して表示部１０１に表示させる（ステップＳＷ１０３）。したがって、このステップＳＷ１０３での処理により、リスト端末１の表示部１０１には、図９に示すように、コース委細形状データＣＤＤによるコース概略形状３５７が表示されることとなる。
【００３９】
この図９に表示したコース概略形状３５７にあっては、地図が削除され、かつコース委細形状データＣＤＤにより表示されるランニングコース３５６よりも簡略化された形状である。したがって、ＰＣ３の表示装置３１１が有する表示画面の面積よりも遙かに小さいリスト端末１の表示部１０１に表示させた場合であっても、視認性が低下することはない。しかも、ユーザがリスト端末１は表示部１０１が小さく小型軽量であることから、これを腕に装着してランニングを行った場合において、ランニングの妨げとなることもない。よって、運動の妨げとならない小型、軽量であって、運動により視点が変位している状態でも視認性良く、一見してコースの確認を行うことが可能となる。
【００４０】
そして、ユーザがランニングを開始すべく、図示しない入力部にてスタート操作を行うと、ステップＳＷ１０４の判断がＹＥＳとなる。したがって、制御部１０２はステップＳＷ１０４からステップＳＷ１０５に処理を進めて、コース概略形状データＣＯＤにより表示されたコース上に、現在位置マーク２０２１（図９参照）を表示させる。また、ＧＰＳ衛星受信装置１０５により取得した現在位置情報に基づき、現在位置が変化したか否かを判断し（ステップＳＷ１０６）、現在位置が変化したならばこれに伴ってコース上において現在位置マーク２０２１を移動させる（ステップＳＷ１０７）。したがって、ユーザは表示部１０１にてコースの形状と現在地位とを確認しつつランニング等を行うことができる。
【００４１】
そして、ユーザがコース概略形状データＣＯＤで表されたコース概略形状３５７のコースを完走してゴールし、あるいは入力部２５６にて終了操作を行うと、制御部１０２はステップＳＷ１０８でＹＥＳ判断し、処理を終了する。
【００４２】
したがって、本実施の形態によれば、先ずユーザの操作に応じて地図に沿ったコースを示すコース委細形状データを作成し、このコース委細形状データから、前記コースの概略形状を示すコース概略形状データを作成することから、ユーザがランニングしようとする任意のコースのコース概略形状データを得ることができる。よって、リスト端末１ではコース概略形状データに基づき、任意のコースの概略形状を表示させることができる。
【００４３】
また、コース委細形状データの作成とコース概略形状データの作成とをＰＣ３側で行うことから、リスト端末１側の処理能力を軽減することができ、これによってもリスト端末１の小型軽量化に寄与することできる。
【００４４】
（第２の実施形態）
図１１は、本発明の第２実施形態においてＰＣ３がコース委細形状データを作成し、リスト端末１に転送する処理の処理手順を示すフローチャートである。このフローチャートにおいて、ステップＳＰ３０１〜ＳＰ３０６の処理は図４に示したフローチャートにおけるステップＳＰ１０１〜ＳＰ１０６の処理と同一である。しかし、ステップＳＰ３０５で前述のように、ランニングコース３５６を表すデータをコース委細形状データＣＤＤとして、地図データとともに、ＨＤＤ３０３に保存したならば、このコース委細形状データＣＤＤをＵＳＢケーブル２で接続されているリスト端末１に、ＵＳＢポート３２０を介して転送する（ステップＳＰ３０７）。
【００４５】
図１２は、本実施形態においてリスト端末１が実行するコース概略形状データの作成処理手順を示すフローチャートである。リスト端末１の制御部１０２は、前述と同様に、ＲＯＭに記憶されているプログラムに基づき、このフローチャートに示すように処理を実行する。すなわち、前記ステップＳＰ３０７でＰＣ３から送信されてくるコース委細形状データＣＤＤを地図データとともに受信して、表示部１０１に表示させる（ステップＳＷ５０１）。これにより、前述の図５に示すように、地図Ｍ上にてコース委細形状データＣＤＤに基づくランニングコース３５６が表示部１０１に表示される。
【００４６】
次に、このランニングコース３５６上において、図示しない入力部での操作によりスタート地点が指定されたか否かを判断する（ステップＳＷ５０２）。スタート地点が指定されたならば、地図の縮尺率に基づき所定距離Ｄ（例えば、１ｋｍ，３ｋｍ、５ｋｍ等毎）毎に、ランニングコース３５６上に分割地点Ｐｎを設定する（ステップＳＷ５０３）。次に、Ｐｎ〜Ｐｎ＋１間を直線Ｌで結合する（ステップＳＷ５０４）。ここで「ｎ」は初期値が「１」の自然数である。したがって、Ｐｎ〜Ｐｎ＋１間とはＰ１〜Ｐ２間であり、図８に示すように、ランニングコース３５６はＰ１〜Ｐ２間が直線Ｌで結合されることとなる。引き続き、ステップＳ２０４の処理がランニングコース３５６の全長に亘って実行されたか否かを判断する（ステップＳＷ５０５）。全長に亘っての実行が終了していない場合には、ｎの値をカウントアップさせてから（ステップＳＷ５０６）、ステップＳＷ５０４からの処理を繰り返す。
【００４７】
しかる後に、この図８の画面を示すデータからコース委細形状データＣＤＤと地図Ｍを表す地図データＭＤとを削除して、コース概略形状データＣＯＤを完成させる（ステップＳＷ５０７）。コース概略形状データＣＯＤが完成したならば、これを概略コース記憶装置１０９に登録する（ステップＳＷ５０８）。
【００４８】
図１３は、当該ユーザのリスト端末１の処理手順を示すフローチャートである。前述のように概略コース記憶装置１０９にコース概略形状データＣＯＤを格納してあるので、これを読み出して表示部１０１に表示させる（ステップＳＷ６０１）。したがって、このステップＳＷ６０１での処理により、リスト端末１の表示部１０１には、図９に示すように、コース委細形状データＣＤＤによるコース概略形状３５７が表示されることとなる。
【００４９】
この図９に表示したコース概略形状３５７にあっては、地図が削除され、かつコース委細形状データＣＤＤにより表示されるランニングコース３５６よりも簡略化された形状である。したがって、ＰＣ３の表示部１０１が有する表示画面の面積よりも遙かに小さいリスト端末１の表示部１０１に表示させた場合であっても、視認性が低下することはない。しかも、ユーザがリスト端末１は表示部１０１が小さく小型軽量であることから、これを腕に装着してランニングを行った場合において、ランニングの妨げとなることもない。よって、運動の妨げとならない小型、軽量であって、運動により視点が変位している状態でも視認性良く、一見してコースの確認を行うことが可能となる。
【００５０】
そして、ユーザがランニングを開始すべく、図示しない入力部にてスタート操作を行うと、ステップＳＷ６０２の判断がＹＥＳとなる。したがって、制御部１０２はステップＳＷ６０２からステップＳＷ６０３に処理を進めて、コース概略形状データＣＯＤにより表示されたコース上に、現在位置マーク２０２１（図９参照）を表示させる。また、ＧＰＳ衛星受信装置１０５により取得した現在位置情報に基づき、現在位置が変化したか否かを判断し（ステップＳＷ６０４）、現在位置が変化したならばこれに伴ってコース上において現在位置マーク２０２１を移動させる（ステップＳＷ６０５）。したがって、ユーザは表示部１０１にてコースの形状と現在地位とを確認しつつランニング等を行うことができる。
【００５１】
本実施の形態によれば、前述の第１の実施の形態と同様に、先ずユーザの操作に応じて地図に沿ったコースを示すコース委細形状データを作成してから、このコース委細形状データから、前記コースの概略形状を示すコース概略形状データを作成することから、ユーザがランニングしようとする任意のコースのコース概略形状データを得ることができる。よって、リスト端末１ではコース概略形状データに基づき、任意のコースの概略形状を表示させることができる。
【００５２】
また、コース委細形状データの作成はＰＣ３側で行い、コース概略形状データの作成はリスト端末１側で行うことから、ＰＣ３とリスト端末１とで構成されるコースガイドシステムにおいて、両者に処理負担の均等化を図ることができる。
【００５３】
（その他）
なお、ＰＣ３にて行う委細形状コースデータの作成は前述の図６に示した作成例のみならず、下記の作成例を挙げることができる。
【００５４】
（作成例１）
図１４は、ＰＣ３の制御部３０２の処理手順を示すフローチャートである。ＰＣ３は、表示部２０２に地図を表示させる（ステップＳ３０１）。ユーザは、表示された地図を参照しつつ、図１５に示すように、閉ループ５１０により周回コースを設定すべきエリアを指定する。すると、制御部３０２は、これを取得する（ステップＳ３０２）。
【００５５】
引き続きＰＣ３は、この閉ループ５１０内にて地図に沿った周回コースを作成し、この作成した周回コースと距離とを表示させる（ステップＳ３０３）。この表示されたコース及び距離を視認したユーザは、当該コース及び距離が満足である場合には、ＰＣ３でキーボード３１２やマウス３１３を操作してＯＫ信号を送信する。ＰＣ３は、当該ユーザＰＣ３からのＯＫ信号を受信したか否かを判断する（ステップＳ３０４）。そして、ＯＫ信号を受信したならば、当該距離のコースを示すデータを委細形状コースデータとしてＨＤＤ３０３に登録する（ステップＳ３０５）。
【００５６】
ステップＳ３０５の判断がＮＯであって、ＰＣ３からＯＫ信号を受信しない場合には、引き続き送信される補正距離を取得する（ステップＳ３０６）。この補正距離を取得したならば、この補正距離からなるＸ個の補正周回コースであるパターン１〜パターンＸを作成し、表示装置３１１に表示させる（ステップＳ３０７）。
【００５７】
つまり、図１５に示すように、ユーザが補正距離として５ｋｍを指定したとすると、地点５０１→５１１→５１２→５１３→５１４→５１５→５１６→５１７→５０１を通過する鎖線で示した５ｋｍからなる周回コースを例えばパターン１として呈示する。また、図示しないが同様に５ｋｍではあるが経路が異なるパターンＸまでの補正周回コースを表示装置３１１に切替表示させる。そして、パターン１〜パターンＸまでの補正周回コースのいずれかが表示されている状態で、ユーザが選択する操作を行うと、ステップＳ３０８の判断がＹＥＳとなる。よって、ＰＣ３は、ステップＳ３０８からステップＳ３０５に処理を進めて、選択された補正周回コースを示すデータを委細形状コースデータとする。
【００５８】
したがって、この作成例によれば、ユーザが要望する地域（エリア）内であって、要望する距離であり経路の異なる多様な周回コースの委細形状コースデータを得ることができる。無論、このとき、図示の自宅を含むような閉ループを設定すれば、自宅が含まれる周回コースの委細形状コースデータが得られる。
【００５９】
（作成例２）
図１６は、作成例２におけるＰＣ３の処理手順を示すフローチャートである。ＰＣ３は、ユーザからの要求に応じて表示装置３１１に地図を表示させる（ステップＳ４０２）。ユーザは、表示された地図を参照しつつ、図１７に示すように、周回コースの中心とすることを所望するランドマーク５０８を指定する。すると、ＰＣ３はこれに応じて、中心ランドマークとして設定する（ステップＳ４０３）。
【００６０】
更に、ユーザは、表示された地図を参照しつつ、図１７に示すように、閉ループ５１０により周回コースを設定すべきエリアを指定する。すると、ユーザ端末側からこの指定エリアを示すエリア情報が送信され、ＰＣ３は応答してエリアを設定する（ステップＳ４０３）。
【００６１】
引き続きＰＣ３は、この閉ループ５１０内にて、ランドマーク５８１を中心とした前記最長距離からなる周回コースを作成し、この作成した周回コースと距離とをユーザ端末に送信して表示させる（ステップＳ４０５）。この表示されたコース及び距離を視認したユーザは、当該周回コース及び距離が満足である場合には、ＰＣ３でキーボード３１２やマウス３１３を操作してＯＫ信号を送信する。ＰＣ３は、当該ユーザＰＣ３からのＯＫ信号を受信したか否かを判断する（ステップＳ４０６）。そして、ＯＫ信号を受信したならば、当該距離のコースを委細形状コースデータとしてＨＤＤ３０３に登録する（ステップＳ４０７）。
【００６２】
ステップＳ４０６の判断がＮＯであって、ユーザからＯＫ信号が入力されない場合には、引き続き送信される補正エリアが設定されたかの閉ループを示す情報が入力されたか否かを判断する（ステップＳ４０８）。この補正エリアの閉ループを示す情報を得たならば、この補正エリアとして、再度ランドマーク５８１を中心とした周回コースを作成し、表示させる（ステップＳ４０５）。
【００６３】
また、ステップＳ４０８の判断がＮＯであって、補正エリアの設定がない場合には、引き続き送信される補正距離を示す情報の入力の有無を判断する（ステップＳ４０９）。入力があった場合には、この補正距離からなり、ランドマーク５８１を中心とした周回コースを再度作成し、この作成した周回コースと距離とを表示させる（ステップＳ４０５）。そして、ＯＫ信号を受信したならば、当該距離のコースの委細形状コースデータを登録する（ステップＳ４０７）。
【００６４】
したがって、本作成例によれば、ユーザが所望するランドマークを中心とした周回コースであって、経路及び距離が異なる複数の周回コースの中から当該ユーザが所望する周回コースの委細形状コースデータを作成することができる。
【００６５】
（第３の作成例）
図１８は、第３の作成例におけるＰＣ３の処理手順を示すフローチャートである。ＰＣ３は、表示装置３１１に地図を表示させる（ステップＳ５０１）。また、ユーザが周回コースの距離（例えば、３ｋｍ）を指定すると、ＰＣ３はこれを取得する（ステップＳ５０２）。
【００６６】
更に、ユーザが、表示された地図を参照しつつ、図１９に示すように、閉ループ５１０により周回コースを設定すべきエリアを指定すると、ＰＣ３はこれを取得する（ステップＳ５０３）。
【００６７】
引き続きＰＣ３は、この閉ループ５１０内にて、前記指定された距離の周回コースを含む複数の周回コースである推奨１、推奨２、推奨３・・・を作成し、この作成した複数の周回コースと距離とを表示装置３１１表示させる（ステップＳ５０４）。このステップＳ５０４での処理により、図１９に示すように、推奨１〜推奨３の周回コースが表示される。また、この推奨１〜推奨３には、ユーザが指定した距離からなる周回コース（推奨１）が含まれている。
【００６８】
この表示されたコース及び距離を視認したユーザは、推奨１〜推奨３コースのいずれかが満足である場合には、ＰＣ３でキーボード３１２やマウス３１３を操作して当該推奨コースを選択するとともにＯＫ信号を入力する。ＰＣ３は、当該ユーザＰＣ３からの推奨コース番号とＯＫ信号を取得したか否かを判断する（ステップＳ５０５）。そして、ＯＫ信号を取得したならば、当該選択された推奨コース及びその距離を当該ユーザの委細形状コースデータとして登録する（ステップＳ５０６）。
【００６９】
ステップＳ５０５の判断がＮＯであって、ＰＣ３からＯＫ信号を取得しない場合には、引き続き送信される補正距離を取得する（ステップＳ５０７）。この補正距離を受信したならば、この補正距離からなる補正周回コースを作成してユーザ端末に送信し、表示させる（ステップＳ５０８）。そして、補正周回コースのが表示されている状態で、これをユーザが選択する操作を行うと、選択信号の発生により、ステップＳ５０５の判断がＹＥＳとなる。よって、ＰＣ３は、ステップＳ５０５からステップＳ５０６に処理を進めて、選択された補正周回コースを委細形状コースデータとして登録する。
【００７０】
したがって、本作成例によれば、異なる距離からなる複数の推奨周回コースから選択したコースの委細形状コースデータを登録することができるのみならず、複数の推奨周回コースのいずれも気に入らない場合には、ユーザ自らが距離を指定して委細形状コースデータを登録することができる。このとき、図示の宿泊しているホテルを含むような閉ループを設定すれば、宿泊ホテルが含まれる周回コースをマイコースとして登録することもできる。
【００７１】
（第４の作成例）
図２０は、第４の作成例におけるＰＣ３の処理手順を示すフローチャートである。ＰＣ３は、表示装置３１１に地図を表示させる（ステップＳ６０２）。ユーザは、表示された地図を参照しつつ、図１７に示す公園５１８、川原５１９、郵便局５２０のように、周回コース中に含めようとする複数のランドマークを指定する。ＰＣ３はこれを受信し、複数の中心ランドマークを設定する（ステップＳ６０２）。
【００７２】
更に、ユーザが指定したランドマークを巡る順番を指定すると、ＰＣ３はこれを受信し、ランドマークを巡る順番を設定する（ステップＳ６０３）。これにより、例えば下記のようなランドマークの順番が設定される。
１番：公園５１８
２番：川原５１９
３番：郵便局５２０
【００７３】
しかる後に、ＰＣ３は、この順番で各ランドマークを巡る周回コースを作成し、この作成した周回コースと距離（１２．７ｋｍ）とを表示装置３１１に表示させる（ステップＳ６０４）。この表示されたコース及び距離を視認したユーザは、当該周回コース及び距離が満足である場合には、キーボード３１２やマウス３１３を操作してＯＫ信号を送信する。ＰＣ３は、当該ユーザＰＣ３からのＯＫ信号を受信したか否かを判断する（ステップＳ６０５）。そして、ＯＫ信号を受信したならば、当該距離のコースを委細形状コースデータとして登録する（ステップＳ６０６）。
【００７４】
ステップＳ６０６の判断がＮＯであって、ＰＣ３からＯＫ信号を受信しない場合には、補正距離を示す情報を受信したか否かを判断する（ステップＳ６０７）。補正距離を示す情報を受信したならば、当該補正距離であって、前記順番で各ランドマークを巡る周回コースを作成し、この作成した周回コースと距離とをユーザ端末に送信して表示させる（ステップＳ６０４）。
【００７５】
したがって、本作成例によれば、図２１に示すように、補正距離として１０ｋｍを指定すると、同図に鎖線で示すように、距離補正が実行されて、ユーザが所望する複数のランドマークを、所望する順序で巡る所望する距離からなる周回コースの委細形状コースデータを登録することができる。
【００７６】
（第５の作成例）
図２２は、第４の作成例におけるＰＣ３の処理手順を示すフローチャートである。ＰＣ３は時間優先モードが選択されたか否を判断する（ステップＳ７０１）。ユーザが、自己のユーザ端末を操作して時間優先モードを選択すると、この時間優先モードを選択した情報がＰＣ３に送信され、ＰＣ３は時間優先モードが選択されたと判断する（ステップＳ７０１：ＹＥＳ）。したがって、ＰＣ３はステップＳ７０１からステップＳ７０２に処理を進めて、６０分、３０分、１５分のコースを作成し、この作成した複数の周回コースと距離とを表示装置３１１に表示させる（ステップＳ７０２）。このステップＳ７０２での処理により、図２３に示すように、推奨１（６０分コース）、推奨２（３０分コース）、推奨３（１５分コース）の周回コースが表示される。
【００７７】
このとき、予めスタート地点を指定しておくことも可能であり、この場合には、図示のように、自宅あるいは宿泊しているホテルをスタート地点とした推奨１〜３コースを作成して表示する。
【００７８】
この表示されたコース及び距離を視認したユーザは、推奨１〜推奨３コースのいずれかが満足である場合には、当該推奨コースを選択するとともにＯＫ信号を送信する。ＰＣ３は、当該ユーザＰＣ３からの推奨コース番号とＯＫ信号を受信したか否かを判断する（ステップＳ７０３）。そして、ＯＫ信号を受信したならば、当該選択された推奨コース及びその距離を委細形状コースデータとして登録する（ステップＳ７０６）。
【００７９】
ステップＳ７０３の判断がＮＯであって、ＰＣ３からＯＫ信号を受信しない場合には、時間優先モードではなく距離優先モードを自動設定し、７ｋｍ、５ｋｍ、３ｋｍのコースを作成し、この作成した複数の周回コースと距離と表示装置３１１に表示させる（ステップＳ７０５）。この表示されたコース及び距離を視認したユーザは、３コースのいずれかが満足である場合には、操作によりして当該推奨コースを選択するとともにＯＫ信号を送信する。ＰＣ３は、当該ユーザＰＣ３からの推奨コース番号とＯＫ信号を受信したか否かを判断する（ステップＳ７０５）。そして、ＯＫ信号を受信したならば、当該選択されたコース及びその距離を委細形状コースデータとして登録する（ステップＳ７０６）。
【００８０】
ステップＳ７０５の判断がＮＯであって、ＰＣ３からＯＫ信号を受信しない場合には、引き続きユーザ端末から送信されてくる補正情報に基づき、時間を補正する（ステップＳ７０７）。そして、この補正した時間からなる補正コースを作成し、その距離とともに表示装置３１１に表示させる（ステップＳ７０８）。
【００８１】
したがって、図２３に示すように、推奨１（６０分コース）、推奨２（３０分コース）、推奨３（１５分コース）のいずれも気に入らず、ユーザが時間を「２０分」に補正したとすると、推奨１（６０分コース）、推奨２（３０分コース）、推奨３（１５分コース）以外に、補正コース５２１（２０分コース）が作成されて表示されることとなる。そして、この補正コース５２１（２０分コース）を選択してＯＫ操作を行えば、補正コース５２１（２０分コース）が委細形状コースデータとして登録される。
【００８２】
なお、以上の実施の形態においては、ランニングを例にして説明を行ったが、ランニングランニングに限らず、ウォーキング、ジョギング、マラソン、サイクリング等の人が移動する場合に適用し得ることは勿論である。
【００８３】
実施形態の効果
地図データベースにアクセスでき、高精細の表示画面を有するコンピュータにおいては、地図に正確にマップマッチングしたコースを作成することができるとともに、画素数が２４０ドット×１８０ドット程度の小さい表示画面の端末においては、地図や正確な委細コース形状を表示しても瞬間的に判別しにくいので、地図は表示せず、作成したコースを地図に正確に沿いながらも概略化したコース形状として表示させることにより、移動しながらでも瞬間的に判別することができる。
【００８４】
また、この発明はこれらに限定されるものではなく、特許請求の範囲に記載された発明とその均等の範囲を含むものである。
以下に、本願出願時の特許請求の範囲を付記する。
【００８５】
＜請求項１＞
携帯可能な端末と、前記端末と通信可能で地図データベースを参照可能なコンピュータとを含むコースガイドシステムであって、
前記コンピュータは、
前記地図データベースを参照して、地図に沿ったコースを示すコース委細形状データを作成する第１の作成手段と、
前記第１の作成手段により作成したコース委細形状データから、前記コースの概略形状を示すコース概略形状データを作成する第２の作成手段と、
前記第２の作成手段により作成されたコース概略形状データを前記端末に転送する転送手段とを備え、
前記端末は、
前記転送手段により転送された前記コース概略形状データを受信する受信手段と、
前記受信手段により受信した前記コース概略形状データに基づき、前記コースの概略形状を表示する表示手段と、
を備えることを特徴とするコースガイドシステム。
【００８６】
＜請求項２＞
携帯可能な端末と、前記端末と通信可能で地図データベースを参照可能なコンピュータとを含むコースガイドシステムであって、
前記コンピュータは、
前記地図データベースを参照して地図に沿ったコースを示すコース委細形状データを作成する第１の作成手段と、
前記第１の作成手段により作成されたコース概略形状データを前記端末に転送する転送手段とを備え、
前記端末は、
前記転送手段により転送された前記コース概略形状データを受信する受信手段と、
前記受信手段により受信したコース委細形状データから、前記コースの概略形状を示すコース概略形状データを作成する第２の作成手段と、
前記第２の作成手段により作成されたコース概略形状データに基づき、前記コースの概略形状を表示する表示手段と、
を備えることを特徴とするコースガイドシステム。
【００８７】
＜請求項３＞
前記端末は地図データベースを参照不能であることを特徴とする請求項１又は２記載のコースガイドシステム。
【００８８】
＜請求項４＞
前記第１の作成手段は、ユーザの操作に応じた任意のコースであって、前記地図データベースを参照した地図に沿ったコースを示すコース委細形状データを作成することを特徴とする請求項１、２又は３記載のコースガイドシステム。
【００８９】
＜請求項５＞
前記第２の作成手段は、コース委細形状データを簡略化することによって前記コース概略形状データを作成することを特徴とする１ないし４いずれか記載のコースガイドシステム。
【００９０】
＜請求項６＞
前記端末は、ＧＰＳを備え、
前記表示手段は、前記概略形状からなるコース上に、前記ＧＰＳから取得した位置情報を表示することを特徴とする請求項１、２又は３記載のコースガイドシステム。
【００９１】
＜請求項７＞
前記端末の表示手段は、前記コンピュータが有する表示手段よりも小さい表示面積からなることを特徴とする請求項１ないし６いずれか記載のコースガイドシステム。
【００９２】
＜請求項８＞
前記端末は、腕に装着可能であることを特徴とする請求項１ないし７いずれかに記載のコースガイドシステム。
【００９３】
＜請求項９＞
携帯可能な端末と、前記端末と通信可能で地図データベースを参照可能なコンピュータとを含むコースガイドシステムにおける前記コンピュータであって、
前記地図データベースを参照して地図に沿ったコースを示すコース委細形状データを作成する第１の作成手段と、
前記第１の作成手段により作成したコース委細形状データから、前記コースの概略形状を示すコース概略形状データを作成する第２の作成手段と、
前記第２の作成手段により作成されたコース概略形状データを前記端末に転送する転送手段とを備えることを特徴とするコンピュータ。
【００９４】
＜請求項１０＞
携帯可能な端末と、前記端末と通信可能で地図データベースを参照可能なコンピュータとを含むコースガイドシステムにおける前記コンピュータを、
前記地図データベースを参照して地図に沿ったコースを示すコース委細形状データを作成する第１の作成手段と、
前記第１の作成手段により作成したコース委細形状データから、前記コースの概略形状を示すコース概略形状データを作成する第２の作成手段と、
前記第２の作成手段により作成されたコース概略形状データを前記端末に転送する転送手段と
して機能させることを特徴とするプログラム。
【００９５】
＜請求項１１＞
携帯可能で地図データベースを参照不能な端末であって、
地図データベースを参照して作成され転送された地図に沿ったコースを示すコース委細形状データを受信する受信手段と、
前記受信手段により受信したコース委細形状データから、前記コースの概略形状を示すコース概略形状データを作成する作成手段と、
前記作成手段により作成されたコース概略形状データに基づき、前記コースの概略形状を表示する表示手段と、
を備えることを特徴とする端末。
【００９６】
＜請求項１２＞
前記コース委細形状データは、ユーザの操作に応じた任意のコースであって、前記地図データベースを参照した地図に沿ったコースを示すデータであることを特徴とする請求項１１記載の端末。
【００９７】
＜請求項１３＞
当該端末は、ＧＰＳを備え、
前記表示手段は、前記概略形状からなるコース上に、前記ＧＰＳから取得した位置情報を表示することを特徴とする請求項１１又は１２記載の端末。
【００９８】
＜請求項１４＞
携帯可能な端末が有するコンピュータを、
地図データベースを参照して作成され転送された地図に沿ったコースを示すコース委細形状データを受信する受信手段と、
前記受信手段により受信したコース委細形状データから、前記コースの概略形状を示すコース概略形状データを作成する作成手段と、
前記作成手段により作成されたコース概略形状データに基づき、前記コースの概略形状を表示する表示手段と、
して機能させることを特徴とするプログラム。
【００９９】
＜請求項１５＞
携帯可能な端末と、前記端末と通信可能で地図データベースを参照可能なコンピュータとを含むコースガイド方法であって、
前記コンピュータに、
前記地図データベースを参照して、地図に沿ったコースを示すコース委細形状データを作成する第１の作成ステップと、
前記第１の作成ステップで作成したコース委細形状データから、前記コースの概略形状を示すコース概略形状データを作成する第２の作成ステップと、
前記第２の作成ステップにより作成されたコース概略形状データを前記端末に転送する転送ステップとを実行させ、
前記端末に、
前記転送ステップで転送された前記コース概略形状データを受信する受信ステップと、
前記受信ステップで受信した前記コース概略形状データに基づき、前記コースの概略形状を表示する表示ステップと、
を実行させることを特徴とするコースガイド方法。
【０１００】
＜請求項１６＞
携帯可能な端末と、前記端末と通信可能で地図データベースを参照可能なコンピュータとを含むコースガイド方法であって、
前記コンピュータに、
前記地図データベースを参照して地図に沿ったコースを示すコース委細形状データを作成する第１の作成ステップと、
前記第１の作成ステップにより作成されたコース概略形状データを前記端末に転送する転送ステップとを実行させ、
前記端末に、
前記転送ステップにより転送された前記コース概略形状データを受信する受信ステップと、
前記受信ステップにより受信したコース委細形状データから、前記コースの概略形状を示すコース概略形状データを作成する第２の作成ステップと、
前記第２の作成ステップにより作成されたコース概略形状データに基づき、前記コースの概略形状を表示する表示ステップと、
を実行させることを特徴とするコースガイド方法。
【符号の説明】
【０１０１】
１    リスト端末
３    ＰＣ
１０１    表示部
１０２    制御部
１０４    時計部
１０５    ＧＰＳ衛星受信装置
１０６    電源
１０７    ＵＳＢポート
１０８    位置演算処理部
１０９    概略コース記憶装置
１１０    軌跡データ記憶装置
１１１    ＧＰＳ受信アンテナ
２５６    入力部
３０１    バス
３０２    制御部
３０３    ＨＤＤ
３０４    ＲＡＭ
３０５    地図データベース
３０９    インターフェイス部
３１１    表示装置
３１２    キーボード
３１３    マウス
３２０    ＵＳＢポート
３５６    ランニングコース
３５７    コース概略形状
２０２１    現在位置マーク
ＣＤＤ    コース委細形状データ
ＣＯＤ    コース概略形状データ
【図１】
2014115212.tif 000003
【図２】
2014115212.tif 000004
【図３】
2014115212.tif 000005
【図４】
2014115212.tif 000006
【図６】
2014115212.tif 000007
【図９】
2014115212.tif 000008
【図１０】
2014115212.tif 000009
【図１１】
2014115212.tif 000010
【図１２】
2014115212.tif 000011
【図１３】
2014115212.tif 000012
【図１４】
2014115212.tif 000013
【図１５】
2014115212.tif 000014
【図１６】
2014115212.tif 000015
【図１７】
2014115212.tif 000016
【図１８】
2014115212.tif 000017
【図１９】
2014115212.tif 000018
【図２０】
2014115212.tif 000019
【図２１】
2014115212.tif 000020
【図２２】
2014115212.tif 000021
【図２３】
2014115212.tif 000022
【図５】
2014115212.tif 000023
【図７】
2014115212.tif 000024
【図８】
2014115212.tif 000025